(57)【要約】      （修正有）【課題】使用しない時には、カバー部が食品保持部を覆って固定でき、衛生的で快適に使用可能な飲食用具を提供する。【解決手段】食品を保持する保持部３と、保持部の後部に設けられる軸部４と、軸部を前後へスライド可能に保持すると共に、前端に、軸部の後退時に保持部全体を覆うカバー部１６を有する柄部１０と、を備える。軸部を前進させれば保持部がカバー部から前方へ突出し、使用可能となる。また、軸部の前進位置と後退位置で、それぞれ柄部に設けられた被係合部１５と１４に軸部の段部９が係合して、軸部の移動が固定される。【選択図】図１
0003197377.tif 000002
【実用新案登録請求の範囲】
【請求項１】
食品を保持する保持部と、当該保持部の後部に設けられる軸部とからなるスライド体と、
前記軸部が前後へスライド可能に保持されると共に、前端に、前記軸部の後退位置で前記保持部の全体を覆うカバー部を設けた柄部と、を備え、
前記軸部の前進位置で、前記保持部が前記カバー部から前方へ突出することを特徴とする飲食用具。
【請求項２】
前記軸部の後退位置と前記前進位置とで前記軸部のスライドを規制可能な固定手段を設けたことを特徴とする請求項１に記載の飲食用具。
【請求項３】
前記固定手段は、前記軸部の前進位置と後退位置とで前記柄部に設けられた被係合部に、前記軸部に設けた係合部が係合することを特徴とする請求項２に記載の飲食用具。
【考案の詳細な説明】
【技術分野】
【０００１】
本考案は、スプーンやフォーク等の飲食用具に関する。
【背景技術】
【０００２】
従来より、飲食用具（スプーン）としては、スプーン頭部と、このスプーン頭部を被覆するカバー部及びスライド部を備えたスプーン柄部とで構成されるものが知られている（特許文献１）。
【先行技術文献】
【特許文献】
【０００３】
【特許文献１】実開昭６４−１０２７３号公報
【考案の概要】
【考案が解決しようとする課題】
【０００４】
しかしながら、このような飲食用具では、スプーン頭部をカバー部で一時的に覆うことは可能であるものの、使用しない時には、カバー部を所定の位置に固定できないことから不衛生であり、また使用時においてはカバー部がスプーン頭部を覆わないよう常に注意しなければならず、非常に不便であった。
【０００５】
そこで、本考案の目的は、上記従来の飲食用具の問題点を解消し、衛生的で快適に使用可能な飲食用具を提供することにある。
【課題を解決するための手段】
【０００６】
本考案のうち、請求項１に記載された考案は、食品を保持する保持部と、当該保持部の後部に設けられる軸部とからなるスライド体と、
前記軸部が前後へスライド可能に保持されると共に、前端に、前記軸部の後退位置で前記保持部の全体を覆うカバー部を設けた柄部と、を備え、
前記軸部の前進位置で、前記保持部が前記カバー部から前方へ突出することを特徴とするものである。
【０００７】
請求項２に記載された考案は、請求項１に記載の考案に加え、前記軸部の後退位置と前記前進位置とで前記軸部のスライドを規制可能な固定手段を設けたことを特徴とするものである。
【０００８】
請求項３に記載された考案は、請求項２に記載の考案に加え、前記固定手段は、前記軸部の前進位置と後退位置とで前記柄部に設けられた被係合部に、前記軸部に設けた係合部が係合することを特徴とするものである。
【考案の効果】
【０００９】
請求項１に記載された飲食用具は、衛生的で快適に使用することが可能である。他にも、スライド体と柄部とが一体であることから新たにカバーを用意しなくて済み、軽量コンパクトである。
【００１０】
請求項２に記載された飲食用具は、使用しない時にはスライド体を柄部内に収納した状態で固定することから、非常に衛生的である。一方、使用時には柄部が保持部を覆わない位置で固定することから、快適に使用することが可能である。
【００１１】
請求項３に記載された飲食用具は、シンプルな機構であることから操作が容易であり、安価に製作することも可能である。更に、分解及び組み立てが容易である。
【図面の簡単な説明】
【００１２】
【図１】（ａ）は飲食用具を示し、（ｂ）はその状態のＡ−Ａ断面を、（ｃ）はその状態のＢ−Ｂ断面を示す説明図である。
【図２】（ａ）はスライド体を示し、（ｂ）はその状態のＥ−Ｅ断面を示す説明図である。
【図３】（ａ）は上カバー表側を示し、（ｂ）は上カバーの裏側を示す説明図である。
【図４】（ａ）は柄部にスライド体が収納された状態を示し、（ｂ）はその状態のＣ−Ｃ断面を、（ｃ）はＤ−Ｄ断面を示す説明図である。
【図５】飲食用具の変更例を示す説明図である。
【図６】飲食用具の変更例を示す説明図である。
【考案を実施するための形態】
【００１３】
以下、本考案の飲食用具の一実施形態について、図面に基づいて詳細に説明する。
【００１４】
図１は、飲食用具を示す説明図である。図２は、スライド体を示す説明図である。図３は、柄部の上カバーを示す説明図である。図４は、柄部にスライド体が収納された状態を示す説明図である。
【００１５】
先ず初めに、図１（ａ）に示すように、飲食用具１は、食品を保持するスライド体２と、このスライド体２を覆う柄部１０とで構成し、柄部１０内に収められたスライド体２が伸出した状態で柄部１０の本体部分を握り、飲食に使用するものである。
【００１６】
次に、図２（ａ）に示すように、スライド体２は、樹脂製の保持部３と、この保持部３を柄部１０内で前後にスライドする樹脂製の軸部４とで構成したスプーンである。このうち、軸部４の中央から後端にかけて左右にスリット８，８が設けられており、柄部１０内を前後にスライドするガイド片７，７が形成されている。他にも、軸部４の中央には後端に突起６を備えた弾性片５が形成されており、図２（ｂ）で矢印が示す方向に突起６を押圧すると、弾性片５が根元を起点に弾性変形する構造である。また、突起６外周には係合部としての凸状の段部９が形成されている。
【００１７】
一方、柄部１０は、上カバー１１と下カバー２０とで構成する樹脂製のカバーである。このうち、図３（ａ）に示すように、上カバー１１は、柄状の上カバー本体１２と保持部３を覆う保護カバー１６とで構成する。そして、上カバー本体１２には長手方向に溝１３が設けられており、図３（ｂ）に示すように、溝１３の裏側で後端には第一被係合部１４が、前端には第二被係合部１５が、何れも突起６の段部９が係合（嵌合）可能な形状に形成されている。
また、下カバー２０は、柄状の下カバー本体２１と保持部３を覆う保護カバー２２とで構成する。
【００１８】
このようにして構成される飲食用具１は、以下のように使用される。
先ず初めに、図４（ａ）に示すように、スライド体２全体が柄部１０内に収められた（保護カバー１６，２２から保持部３が伸出しない）状態では、上カバー１１後端の位置で突起６が図４（ｂ）（ｃ）に示すように、第一被係合部１４に係止しており、保持部３が柄部１０内で前方にスライドしないように固定されている。この係合機構が、本発明の固定手段である。
【００１９】
次に、図４（ｂ）に示す状態から矢印が示す方向に突起６を押圧すると、弾性片５が弾性変形することで段部９が降下し、第一被係合部１４との係合が解除される。そして、この状態で突起６を前方へスライドすると、図１（ａ）に示すように、それに従い柄部１０内に収められたスライド体２の保持部３が保護カバー１６，２２から外部へ伸出することとなる。
そして、図１（ｂ）に示すように、突起６が溝１３の先端側に当接する位置まで移動した状態で突起６の押圧を解除し、弾性片５が弾性変形した状態から元の水平な状態になると、図４（ｂ）と同様に、突起６の段部９が第二被係合部１５に係合した状態となり、保持部３が柄部１０内で後方にスライドしないように固定される。この係合機構も、本発明の固定手段である。
一方、スライド体２を柄部１０内に収める場合は、上記と逆の手順を行う。
【００２０】
次に、飲食用具１の洗浄について説明する。
先ず初めに、図４（ａ）に示す状態において、突起６を水平な状態から図４（ｂ）で矢印が示す方向に押圧して第一被係合部１４と段部９との係合を解除する。そして、この状態で突起６を溝１３の後端から前方へスライドさせると、図１（ａ）に示すように、それに従い柄部１０内に収められたスライド体２の保持部３が外部へと伸出し、溝１３の先端側に当接する位置まで突起６を前方へスライドさせる。
その後、突起６を上カバー１１の下に潜る位置まで押圧し、突起６が第一被係合部１４や第二被係合部１５に係合した状態から係合を解除する時よりも更に弾性片５を弾性変形させる。そして、この状態を保持したままスライド体２の保持部３を引き抜くと、各部品毎に洗浄可能な状態となる。
一方、各部品を洗浄した後の飲食用具１の組み立てについては、上記と逆の手順を行う。
【００２１】
上記の如く構成される飲食用具１は、軸部４の前進位置で、保持部３が保護カバー１６，２２から前方へ突出することにより、衛生的で快適に使用することが可能である。他にも、スライド体２と柄部１０とが一体であることから新たにカバーを用意しなくて済み、軽量コンパクトである。
【００２２】
また、軸部４の後退位置と前進位置とで軸部４のスライドを規制可能な固定手段を設けたことにより、使用しない時にはスライド体２を柄部１０内に収納した状態で固定することから、非常に衛生的である。一方、使用時には柄部１０が保持部２を覆わない位置で固定することから、快適に使用することが可能である。
【００２３】
更に、固定手段は、軸部４の前進位置と後退位置とで柄部１０に設けられた第一被係合部１４と第二被係合部１５とに、軸部４に設けた段部９が係合することにより、シンプルな機構であることから操作が容易であり、安価に製作することも可能である。更に、分解及び組み立てが容易である。
【００２４】
なお、本考案にかかる飲食用具１の構成は、上記した実施の形態に何ら限定されるものではなく、本発明の趣旨を逸脱しない範囲で、先端部２や柄部１０の大きさや厚み、形状等を適宜変更することができる。
【００２５】
例えば、スライド体２の保持部３は樹脂製だけでなく、金属製のものであっても良く、更に一部だけを金属製や樹脂製にしても良い。一方、柄部１０は樹脂製だけでなく、金属製のものであっても良く、一部だけを金属製や樹脂製にしたり、適宜変更可能である。
【００２６】
他にも、保持部３は、スプーン形だけでなく、図５に示すフォーク形や、他にナイフ形等であっても良く、柄部１０にスライド体２全体が収納されるものであれば適宜変更可能である。
【００２７】
また、図６に示すように、飲食用具４０は、上カバー１１の保護カバー１６に動物等のキャラクターを表示させても良く、適宜変更可能である。
【符号の説明】
【００２８】
１・・飲食用具、２・・スライド体、３・・保持部（スプーン）、４・・軸部、５・・弾性片、６・・突起、７・・ガイド片、８・・スリット、９・・段部（係合部）、１０・・柄部、１１・・上カバー、１２・・上カバー本体、１３・・溝、１４・・第一被係合部、１５・・第二被係合部、１６・・保護カバー、２０・・下カバー、２１・・カバー本体、２２・・保護カバー、３０・・保持部（フォーク）、４０・・飲食用具。
【図１】
0003197377.tif 000003
【図２】
0003197377.tif 000004
【図３】
0003197377.tif 000005
【図４】
0003197377.tif 000006
【図５】
0003197377.tif 000007
【図６】
0003197377.tif 000008